(57)【要約】【課題】室内壁や室内床を大きく壊すことがなく、施工性よく配管の更新を行うことができる給水または給湯用配管の更新用管継手、この管継手を用いた配管の更新構造及び更新工法を提供することを目的としている。【解決手段】一旦、水栓金具１ａを、既設配管Ｐ１とのねじ接続を解除して取り除いたのち、フランジ部７２が室内壁Ｗ１にほぼ当接するとともに、継手本体４ａのワンタッチ継手部６が新設配管Ｐ２の挿入方向を向くように、管継手３ａのねじ部７１を、貫通孔Ｈ１を介して既設配管Ｐ１のねじ筒部２１にねじ込む。そして、水栓金具１ａのねじ筒部１１を継手本体４ａのねじ筒部５ａに螺合させて、管継手３ａを介して水栓金具１ａを室内壁Ｗ１に沿うように固定し、新設配管Ｐ２を室内側に引き込み、ワンタッチ継手部６にその管端部を接続するようにした。【選択図】      図５
2012202470.tif 000002
【特許請求の範囲】
【請求項１】
水栓金具と、この水栓金具に水または湯を供給する配管との間に介在し、一端に前記水栓金具にねじ接続可能なねじ筒部を有して他端に前記配管と接続可能な配管接続部を備える継手本体と、
室内壁および／または室内床の裏側を通る給水または給湯用の既設配管を室内へ引き込むために壁または床に穿設された貫通孔を利用してこの継手本体を室内壁面または室内床面に沿って取り付け可能な取り付け部とを備えていることを特徴とする給水または給湯用配管の更新用管継手。
【請求項２】
前記取り付け部がねじ筒部に螺合可能な形状のねじ部を備えている請求項１に記載の更新用管継手。
【請求項３】
請求項１または請求項２に記載の管継手が、継手本体を室内側に配置した状態で、取り付け部を介して、室内壁および／または室内床の裏側を通る給水または給湯用の既設配管を室内へ引き込むために壁または床に穿設された貫通孔を塞ぐように取り付けられ、
水栓金具が、前記管継手のねじ筒部に螺着され、
新規に室内側に引き込まれた給水または給湯用の配管が、前記管継手の配管接続部に接続されていることを特徴とする給水または給湯用配管の更新構造。
【請求項４】
室内壁および／または室内床の裏側を通る給水または給湯用の既設配管を室内へ引き込むために壁または床に穿設された貫通孔に臨む前記既設配管の端部ねじ接続部と、
この端部ねじ接続部に連通状態でねじ接続された水栓金具とのねじ接続を解除し、水栓金具を取り外す工程と、
請求項２に記載の管継手のねじ部を、前記貫通孔を介して室内側から前記端部ねじ接続部にねじ込んで、前記管継手を室内壁あるいは室内床に沿うように固定する工程と、
室内側に露出するように新たに設けられた給水または給湯用の新設配管の一端を、前記継手本体の配管接続部に接続するとともに、新設の水栓金具または取り外した既設の水栓金具を前記継手本体のねじ筒部にねじ接続する工程とを備えることを特徴とする配管の更新工法。
【請求項５】
管継手の取り付け部が、ねじ筒部にねじ接続可能なねじ部と、このねじ部より継手本体部側に設けられたフランジ部とを有し、
室内側から室内壁または室内床にねじ込まれ、継手本体のねじ部本体の中心軸周りの回転を抑止する固定ねじが挿通されるねじ挿通孔を、前記フランジ部に備えている請求項４に記載の配管の更新工法。
【請求項６】
管継手の継手本体がエルボ形状をしていて、継手本体のねじ筒部の中心軸と、管継手のねじ部のねじ込み回転軸が一致している請求項４または請求項５に記載の配管の更新工法。
【請求項７】
配管接続部が、新設配管をワンタッチ接続可能に形成されている請求項４〜請求項６のいずれかに記載の配管の更新工法。
【発明の詳細な説明】
【技術分野】
【０００１】
本発明は、給水または給湯用配管の更新用管継手、この管継手を用いた配管の更新構造及び更新工法に関する。
【背景技術】
【０００２】
図９または図１０に示すように、室内壁Ｗ１と躯体壁Ｗ２との間や、室内床Ｆ１と、基礎床（床スラブの場合もある）Ｆ２との間、あるいは、躯体壁Ｗ２や基礎床Ｆ２に埋設状に給水あるいは給湯用の配管Ｐ１が設けられている。
そして、洗濯機設置室、浴室、洗面室などにおいては、室内壁Ｗ１あるいは室内床Ｆ１に、水栓金具１ａ（１ｂ）が直接取り付けられる場合もある。
【０００３】
なお、図９，１０中、２は配管Ｐ１の端部に設けられたねじ継手１１は水栓金具１ａ（１ｂ）のねじ筒部、２１はねじ継手２のねじ筒部、２２はねじ継手２を支持する垂木、Ｈ１は室内壁Ｗ１に穿設された貫通孔、Ｈ２は室内床Ｆ１に設けられた貫通孔である。
また、水栓金具１ａ（１ｂ）は、室内壁Ｗ１あるいは室内床Ｆ１の貫通孔Ｈ１内に入り込んだ配管Ｐ１の端部のねじ接続部であるねじ継手２のねじ筒部２１に室内側から水栓金具１ａのねじ筒部１１をシールテープなどのシール材（図示せず）を介在させた状態でねじ込まれている。
【０００４】
ところで、上記のような配管Ｐ１に経年劣化によって、詰りや漏水が生じた場合、躯体壁Ｗ２、室内壁Ｗ１や室内床Ｆ１、基礎床Ｆ２を構成する壁材や床材を壊すなどして一旦取り除き、配管Ｐ１の不具合部分を露出させ、配管Ｐ１を新たな配管（図示せず）に更新したのち、躯体壁Ｗ２、室内壁Ｗ１や室内床Ｆ１を修復する工法が採られることが一般的である（例えば、特許文献１参照）。
【先行技術文献】
【特許文献】
【０００５】
【特許文献１】特開２００２−８９７４９号公報
【発明の概要】
【発明が解決しようとする課題】
【０００６】
しかし、上記一般的な配管の更新工法においては、一旦、躯体壁Ｗ２、室内壁Ｗ１や室内床Ｆ１を構成する壁材や床材を壊さなければならず、新たに復旧のための時間とコストが発生し住民等への負担が大きくなっている。
特に、集合住宅においては、他の住戸への騒音の問題もある。
【０００７】
本発明は、上記事情に鑑みて、室内壁や室内床を大きく壊すことがなく、施工性よく配管の更新を行うことができる給水または給湯用配管の更新用管継手、この管継手を用いた配管の更新構造及び更新工法を提供することを目的としている。
【課題を解決するための手段】
【０００８】
上記目的を達成するために、本発明にかかる給水または給湯用配管の更新用管継手（以下、「本発明の管継手」と記す）は、水栓金具と、この水栓金具に水または湯を供給する配管との間に介在し、一端に前記水栓金具にねじ接続可能なねじ筒部を有して他端に前記配管と接続可能な配管接続部を備える継手本体と、室内壁および／または室内床の裏側を通る給水または給湯用の既設配管を室内へ引き込むために壁または床に穿設された貫通孔を利用してこの継手本体を室内壁面または室内床面に沿って取り付け可能な取り付け部とを備えていることを特徴としている。
【０００９】
本発明の管継手は、特に限定されないが、例えば、マンション、アパート、戸建て、ビル等の給水・給湯配管の更新に用いることができる。
【００１０】
本発明にかかる給水または給湯用配管の更新構造は、上記本発明の管継手が、継手本体を室内側に配置した状態で、取り付け部を介して、室内壁および／または室内床の裏側を通る給水または給湯用の既設配管を室内へ引き込むために壁または床に穿設された貫通孔を塞ぐように取り付けられ、水栓金具が、前記管継手のねじ筒部に螺着され、新規に室内側に引き込まれた給水または給湯用の配管が、前記管継手の配管接続部に接続されていることを特徴としている。
【００１１】
また、本発明にかかる配管の更新方法は、室内壁および／または室内床の裏側を通る給水または給湯用の既設配管を室内へ引き込むために壁または床に穿設された貫通孔に臨む前記既設配管の端部ねじ接続部と、この端部ねじ接続部に連通状態でねじ接続された水栓金具とのねじ接続を解除し、水栓金具を取り外す工程と、本発明の管継手のねじ部を、前記貫通孔を介して室内側から前記端部ねじ接続部にねじ込んで、前記管継手を室内壁あるいは室内床に沿うように固定する工程と、室内側に露出するように新たに設けられた給水または給湯用の新設配管の一端を、前記継手本体の配管接続部に接続するとともに、新設の水栓金具または取り外した既設の水栓金具を前記継手本体のねじ筒部にねじ接続する工程とを備えることを特徴としている。なお、室内壁、室内床の裏側とは、それぞれに対して部屋内とは逆の側を指す。
【００１２】
本発明において、上記管継手の取り付け部は、上記貫通孔を利用して取り付けることができれば、特に限定されず、上記貫通孔にパッキンやコーキング材を介して圧入する構造でも構わないが、継手本体のねじ筒部に螺合可能なねじ部を備え、このねじ部が、既設の水栓金具を取り除くことによって上記貫通孔に臨むように残った既設配管の水栓金具取り付けねじ筒部に螺合するようにすることが好ましい。
【００１３】
また、取り付け部は、上記ねじ部と、このねじ部より継手本体部側に設けられたフランジ部とを有し、室内側から室内壁または室内床にねじ込まれ、継手本体のねじ部本体の中心軸周りの回転を抑止する固定ねじが挿通されるねじ挿通孔を、前記フランジ部に備えていることが好ましい。
すなわち、上記固定ねじを、フランジ部のねじ挿通孔を介して室内壁または室内床にねじ込むことによって、水栓金具を継手本体のねじ筒部にねじ込んでいく際に、継手本体が共回りすることを抑えることができる。
【００１４】
また、上記管継手は、特に限定されないが、管継手の継手本体がエルボ形状をしていて、継手本体のねじ筒部の中心軸と、管継手のねじ部のねじ込み回転軸が一致していることが好ましい。
【００１５】
また、管継手の配管接続部の接続構造は、特に限定されず、例えば、接着、融着、ねじ、圧縮、溶接、ゴム止水等及びその組み合わせなど、新設配管の材質によって自由に選択できるが、ワンタッチ接続可能に形成されていることが好ましい。
ワンタッチ接続とは、新設配管の端部を配管接続部に嵌合させることによって、接続部の止水及び新設配管の抜け止めがなされるもので、例えば、積水化学工業株式会社の商品名エスロメタッチや、積水化学工業株式会社の商品名エスロカチットのようなワンタッチ接続構造が挙げられる。
【００１６】
新設配管として用いられる配管材としては、特に限定されないが、例えば、水道用硬質ポリ塩化ビニル管（VP、HIVP）、耐熱性硬質ポリ塩化ビニル管（HT）、水道用硬質塩化ビニルライニング鋼管、水道用耐熱性塩化ビニルライニング鋼管、一般配管用ステンレス鋼管などステンレス鋼管、架橋ポリエチレン管、ポリブテン管、及び、アルミニウム層を中間層にしてない外層が熱可塑性樹脂で形成された三層管等が挙げられる。
【発明の効果】
【００１７】
本発明の管継手は、以上のように、水栓金具と、この水栓金具に水または湯を供給する配管との間に介在し、一端に前記水栓金具にねじ接続可能なねじ筒部を有して他端に前記配管と接続可能な配管接続部を備える継手本体と、室内壁および／または室内床の裏側を通る給水または給湯用の既設配管を室内へ引き込むために壁または床に穿設された貫通孔を利用してこの継手本体を室内壁面または室内床面に沿って取り付け可能な取り付け部とを備えているので、本発明の配管の更新構造及び更新工法に好適である。
【００１８】
そして、本発明の配管の更新構造は、上記本発明の管継手が、継手本体を室内側に配置した状態で、取り付け部を介して、室内壁および／または室内床の裏側を通る給水または給湯用の既設配管を室内へ引き込むために壁または床に穿設された貫通孔を塞ぐように取り付けられ、水栓金具が、前記管継手のねじ筒部に螺着され、新規に室内側に引き込まれた給水または給湯用の配管が、前記管継手の配管接続部に接続されている。また、本発明の更新工法は、室内壁および／または室内床の裏側を通る給水または給湯用の既設配管を室内へ引き込むために壁または床に穿設された貫通孔に臨む前記既設配管の端部ねじ接続部と、この端部ねじ接続部に連通状態でねじ接続された水栓金具とのねじ接続を解除し、水栓金具を取り外す工程と、本発明の管継手のねじ部を、前記貫通孔を介して室内側から前記端部ねじ接続部にねじ込んで、前記管継手を室内壁あるいは室内床に沿うように固定する工程と、室内側に露出するように新たに設けられた給水または給湯用の新設配管の一端を、前記継手本体の配管接続部に接続するとともに、新設の水栓金具または取り外した既設の水栓金具を前記継手本体のねじ筒部にねじ接続する工程とを備える。
したがって、本発明の配管の更新構造及び更新工法によれば、壁や床を壊して既設配管を取り除く必要がなくなる。すなわち、結果として壁や床の除去（壊し）が無くなるため、壁や床の復旧に掛かる時間等が削減できる。また、集合住宅等においては、他の住戸への施工時に騒音を抑えることができる。
【図面の簡単な説明】
【００１９】
【図１】本発明の管継手の第１の実施の形態をあらわし、同図（ａ）はその正面図、同図（ｂ）はその左側面図、同図（ｃ）はその底面図である。
【図２】図１のワンタッチ継手部の断面図である。
【図３】図２のワンタッチ継手部に新設配管を接続した状態の断面図である。
【図４】図１の管継手を用いた本発明の配管の更新工法の第１の実施の形態を説明する図であって、その施工手順を説明する図である。
【図５】図４の施工完了状態である本発明の更新構造を説明する図である。
【図６】図１の管継手を用いた本発明の配管の更新工法の第２の実施の形態であって、その施工完了状態を説明する図である。
【図７】本発明の管継手の第２の実施の形態をあらわし、同図（ａ）はその正面図、同図（ｂ）はその左側面図、同図（ｃ）はその底面図である。
【図８】本発明の継手の第３の実施の形態をあらわし、同図（ａ）はその正面図、同図（ｂ）はその左側面図、同図（ｃ）はその底面図である。
【図９】既設配管の配管施工構造の１例を説明する図である。
【図１０】既設配管の配管施工構造の他例を説明する図である。
【発明を実施するための形態】
【００２０】
以下に、本発明を、その実施の形態をあらわす図面を参照しつつ詳しく説明する。
図１は、本発明の管継手の第１の実施の形態をあらわしている。
【００２１】
図１に示すように、この管継手３ａは、継手本体４ａと、取り付け部７ａとを備えている。
継手本体４ａは、エルボ形状をしていて、一端にねじ筒部５ａを有し、他端に配管接続部としてのワンタッチ継手部６を備えている。
【００２２】
ねじ筒部５ａは、内径が後述する水栓金具１ａのねじ筒部１１が螺合する雌ねじ筒になっているとともに開口端部に外側に張り出すフランジ部５１を備えている。
ワンタッチ継手部６は、図２に示すように、接続される新設配管Ｐ２の内径ほぼ同じ外径をしたノズル部６１と、このノズル部６１との間に新設配管Ｐ２の挿入空間Ｓを形成する外筒部６２とを備えている。
【００２３】
ノズル部６１には、Ｏリング６１ａがシール材として外嵌されている。
外筒部６２には、抜け止めリング６３と、締め付けリング６４と、締め付けリング６４を拡径状態に保持する拡径片６５とが内装されている。
【００２４】
そして、ワンタッチ継手部６は、新設配管Ｐ２の端部を挿入空間Ｓ内の所定位置まで挿入すると、図３に示すように、拡径片６５が新設配管Ｐ２の先端で挿入空間Ｓの奥側に押し込まれて、締め付けリング６４の間から離脱して締め付けリング６４がその弾性力によって縮径して新設配管Ｐ２を締め付けて抜け止めが図られるとともに、シール材による確実な止水を確保する。また、新設配管Ｐ２に抜け方向の力が加わると、抜け止めリング６３の爪部６３ａが新設配管Ｐ２の外周面に食い込むように作用してさらに確実な抜け止めが図られる。
【００２５】
取り付け部７ａは、ねじ部７１と、フランジ部７２とを備え、継手本体４ａの外壁面から突出し、継手本体４ａ内と非連通状態になっている。
ねじ部７１は、上記ねじ筒部５ａ内に入り込んで螺合可能な雄ねじ筒形状をしている。
【００２６】
フランジ部７２は、図１（ｂ）に示すように、側面視長方形をしていて、図１（ｂ）及び図１（ｃ）に示すように、４つのねじ挿通孔７２ａが穿設されている。
【００２７】
つぎに、図４、図５、図９を用いて、この管継手３ａを用いた本発明の配管の更新構造及び更新工法の第１の実施の形態を説明する。
（１）図９に示すように更新しようとする既設の配管Ｐ１のねじ継手２とねじ接続された水栓金具１ａを、ねじ接続を解除して、図４に示すように、一旦取り除く。
（２）図５に示すように、フランジ部７２が室内壁Ｗ１にほぼ当接するとともに、継手本体４ａのワンタッチ継手部６が後述する新設配管Ｐ２の挿入方向を向くように、管継手３ａの取り付け部７ａを、水栓金具６の取り除きによって、室内壁Ｗ１に露出した既設配管Ｐ１の引き込み用貫通孔Ｈ１を介してねじ継手２にねじ込む。
（３）４本（図４では２本しかあらわれていない）の固定ねじ７３を、それぞれねじ挿通孔７２ａを介して室内壁Ｗ１にねじ込み、ワンタッチ継手部６の位置がずれ動かないようにする。
（４）水栓金具１ａのねじ筒部１１を継手本体４ａのねじ筒部５ａに螺合させて、管継手３ａを介して水栓金具１ａを室内壁Ｗ１に沿うように固定する。なお、水栓金具１ａは、取り外したものを再び用いても構わないし、新しいものを用いるようにしても構わない。
（５）図示していないが、少なくとも室内壁Ｗ１に新設配管（例えば、架橋ポリエチレン管）Ｐ２を挿通可能な最小限の孔を穿設し、新設配管Ｐ２を室内側に引き込み、ワンタッチ継手部６にその管端部を接続する。
なお、上記（４）、（５）の工程は、順序が逆であっても構わない。また、新設配管Ｐ２は、ワンタッチ継手部６との接続部以外の部分については、保温材等が管の周囲を囲むように設けられていても構わない。
【００２８】
この更新構造及び更新工法は、上記のようになっているので、既設の配管Ｐ１を撤去することがなく、室内壁Ｗ１や躯体壁Ｗ２を除去する必要が無く、新たな新設配管Ｐ２用の小さな孔を壁、天井あるいは床に設けるだけでよいので、室内壁Ｗ１や躯体壁Ｗ２の復旧にかかる時間を削減できるとともに、コストダウンを図ることができる。
また、既設配管Ｐ１に管継手３ａが支持されるので、水栓金具１ａも既設配管Ｐ１に支持されることになり、水栓金具１ａを介して室内壁にかかる荷重が少なく、壁材が、石膏ボードやユニットバスのカラー鋼板等の強度的に弱い材質の室内壁でもこの工法が採用できる。
【００２９】
管継手３ａのねじ筒部５ａの中心軸が、取り付け部７ａの中心軸と一致しているので、水栓金具１ａは、管継手３ａの室内壁Ｆ１からの突出厚み（ほぼ継手本体４ａ）分だけ室内側に配置されるが、室内壁Ｗ１の水平方向及び高さ方向の位置は、変更されない。
さらに、水栓金具１ａのねじ筒部１１をねじ筒部５ａにねじ込む前に、固定ねじ７３をねじ挿通孔７２ａを介して室内壁Ｗ１にねじ込み、ワンタッチ継手部６の位置がずれ動かないようにしているので、ねじ筒部１１をねじ筒部５ａにねじ込む際に管継手３ａが共回りしてワンタッチ継手部６の方向が変わるということがない。
【００３０】
図６は、上記管継手３ａを用いた本発明の配管の更新構造及び更新方法の第２の実施の形態をあらわしている。
以下に、この更新構造及び更新工法を、図６及び図１０を用いて説明する。
【００３１】
（１）図１０に示すように更新しようとする既設配管Ｐ１のねじ継手２とねじ接続された水栓金具１ｂを、ねじ接続を解除して取り外す。
（２）図６に示すように、フランジ部７２が室内床Ｆ１にほぼ当接するとともに、継手本体４ａのワンタッチ継手部６が後述する新設配管Ｐ２の挿入方向を向くように、管継手３ａの取り付け部７ａを、貫通孔Ｈ２を介してねじ継手２のねじ筒部２１にねじ込む。
（３）固定ねじ７３を、ねじ挿通孔７２ａを介して室内床Ｆ１にねじ込み、ワンタッチ継手部６の位置がずれ動かないようにする。
（４）水栓金具１ａのねじ筒部１１を継手本体４ａのねじ筒部５ａに螺合させて、管継手３ａを介して水栓金具１ａを室内床Ｆ１から立ち上がるように固定する。なお、水栓金具１ａは、取り外したものを再び用いても構わないし、新しいものを用いるようにしても構わない。
（５）図示していないが、少なくとも室内壁Ｗ１に新設配管Ｐ３を挿通可能な最小限の孔を穿設し、新設配管Ｐ３を室内側に引き込み、ワンタッチ継手部６にその管端部を接続する。
【００３２】
図７は、本発明の管継手の第２の実施の形態をあらわしている。
図７に示すように、この管継手３ｂは、継手本体４ｂのねじ筒部５ｂが、ワンタッチ継手部６と一直線上に並ぶようになっている以外は、上記管継手３ａと同様になっている。図７において、管継手３ａと同様に構成部分は、管継手３ａと同じ符号を付している。
【００３３】
図８は、本発明の管継手の第３の実施の形態をあらわしている。
図８に示すように、この管継手３ｃは、継手本体４ｃのねじ筒部５ｃが雄ねじ筒形状となっていて、一側にねじ部７１が設けられた筒状をした取り付け部７ｂを備え、フランジ部７２が設けられていない以外は、上記管継手３ａと同様になっている。図８において、管継手３ａと同様に構成部分は、管継手３ａと同じ符号を付している。
【００３４】
本発明は、上記の実施の形態に限定されない。例えば、上記の実施の形態では、管継手がフランジ部に４つのねじ挿通孔を備えていたが、共回りを押えることができれば、無くても構わないし、その数は特に限定されない。
また、上記の実施の形態では、ねじ挿通孔を介して固定ねじを室内壁あるいは室内床にねじ込むようにしていたが、壁材の種類によっては釘を打ち込むようにしても構わない。
上記の実施の形態では、ワンタッチ継手部のノズル部にＯリングがシール材として外嵌されていたが、断面略カマボコ形をしたリング状のシール材を用いるようにしても構わない。
【符号の説明】
【００３５】
１ａ，１ｂ  水栓金具
１１  ねじ筒部（水栓金具）
２  ねじ継手
２１  ねじ筒部（既設配管Ｐ１のねじ接続部）
３ａ，３ｂ，３ｃ  管継手
４ａ，４ｂ，４ｃ  継手本体
５ａ，５ｂ，５ｃ  ねじ筒部
６  ワンタッチ継手部
７ａ，７ｂ  取り付け部
７１  ねじ部
７２  フランジ部
７２ａ  ねじ挿通孔
７３  固定ねじ
Ｆ１  室内床
Ｆ２  基礎床
Ｈ１，Ｈ２  貫通孔（室内引き込み用貫通孔）
Ｐ１  既設配管
Ｐ２，Ｐ３  新設配管
Ｗ１  室内壁
Ｗ２  躯体壁
【図１】
2012202470.tif 000003
【図２】
2012202470.tif 000004
【図３】
2012202470.tif 000005
【図４】
2012202470.tif 000006
【図５】
2012202470.tif 000007
【図６】
2012202470.tif 000008
【図７】
2012202470.tif 000009
【図８】
2012202470.tif 000010
【図９】
2012202470.tif 000011
【図１０】
2012202470.tif 000012